(57)【要約】【課題】携帯端末装置からの指示により実行された印刷結果に対して行われる原稿の修正作業、及び再印刷を簡単に行う。【解決手段】携帯端末装置と多機能周辺装置とが接続された画像形成システムであって、携帯端末装置に表示された画像データを多機能周辺装置に対して転送する手段と、転送された画像データを印刷する手段と、印刷された画像データを編集する手段と、編集された画像データを再印刷する手段と、を含む。【選択図】図３
2014191562.tif 000002
【特許請求の範囲】
【請求項１】
携帯端末装置と多機能周辺装置とが接続された画像形成システムであって、
前記携帯端末装置に表示された画像データを前記多機能周辺装置に対して転送する手段と、
前記転送された画像データを印刷する手段と、
前記転送された画像データを編集する手段と、
前記編集された画像データを再印刷する手段と、
を含むことを特徴とする画像形成システム。
【請求項２】
前記転送された画像データが編集された後に前記再印刷を行う旨の指示がなされると、前記編集された画像データは自動的に再印刷されることを特徴とする請求項１に記載の画像形成システム。
【請求項３】
前記転送された画像データが印刷されるとき、及び／又は前記編集された画像データが再印刷されるとき、前記多機能周辺装置においてのみ設定可能な印刷状態で印刷されることを特徴とする請求項１又は２に記載の画像形成システム。
【請求項４】
前記携帯端末装置に表示された画像データが前記多機能周辺装置に対して転送されると、前記携帯端末装置の画面表示がオフされることを特徴とする請求項１から３の何れか１項に記載の画像形成システム。
【請求項５】
前記多機能周辺装置に対して前記携帯端末装置に表示された画像データが転送されるときの転送レートは、任意の値に設定されることを特徴とする請求項１から４の何れか１項に記載の画像形成システム。
【請求項６】
携帯端末装置と多機能周辺装置とが接続された画像形成システムの制御方法であって、
前記携帯端末装置に表示された画像データを前記多機能周辺装置に対して転送する工程と、
前記転送された画像データを印刷する工程と、
前記印刷された画像データを編集する工程と、
前記編集された画像データを再印刷する工程と、
を含むことを特徴とする制御方法。
【請求項７】
携帯端末装置と多機能周辺装置とが接続された画像形成システムのコンピュータに、
前記携帯端末装置に表示された画像データを前記多機能周辺装置に対して転送する処理と、
前記転送された画像データを印刷する処理と、
前記印刷された画像データを編集する処理と、
前記編集された画像データを再印刷する処理と、
を実現させるためのプログラム。
【発明の詳細な説明】
【技術分野】
【０００１】
本発明は、画像形成システム、制御方法、及びプログラムに関する。
【背景技術】
【０００２】
近年、ユーザが使用する携帯電話は、従来タイプのものから多機能型携帯電話であるスマートフォンへの移行が進んでおり、多くのユーザがスマートフォンを保有している。また、スマートフォンからＭＦＰ（多機能周辺装置：Multifunction Peripheral、以下、単に「ＭＦＰ」ともいう。）に対して印刷を行うための方法が既に知られている。
【０００３】
特許文献１には、ユーザが自分のスマートフォンと無線プリンタ装置とを接続する際の設定作業を容易にすることを目的として、スマートフォンと無線プリンタ装置との接続を実現するためのロケーションフリー印刷システムが開示されている。
【発明の概要】
【発明が解決しようとする課題】
【０００４】
しかしながら、スマートフォン等の携帯端末装置からＭＦＰに対する印刷を実行した後、その印刷結果に対して修正を行いたい箇所が発見された場合、従来の技術では、再び携帯端末装置上で原稿を修正する必要があった。あるいは、印刷画像を一度パーソナルコンピュータ（以下、「ＰＣ」ともいう。）等の他のデバイスに戻し、当該デバイス上で原稿を修正する必要があった。
【０００５】
そして、携帯端末装置上で原稿を修正する場合、携帯端末装置の画面は非常に小さいため、効率的に修正作業を行うことができないという問題があった。他方、ＰＣ等の他のデバイス上で原稿を修正する場合、印刷画像を一度ＰＣ等の他のデバイスに移動する必要があるため時間を要し、印刷結果をすぐに要求されているときは有効な方法ではないという問題があった。
【０００６】
また、特許文献１に記載された発明は、ユーザのスマートフォン上の画面に表示される画像とプリンタ上の画面に表示される画像とを連動させている。しかしながら、スマートフォンの画面は非常に小さいため、修正作業を効率的に行うことができないという問題は依然として解消されていない。
【０００７】
そこで、本発明は、上記従来技術の問題点に鑑みてなされたものであって、スマートフォン等の携帯端末装置からの指示により実行された印刷結果に対して修正を行う場合、携帯端末装置の画面に表示された画像を、ＭＦＰの操作部に表示させることにより原稿を簡単に修正することができ、かつ、ＭＦＰにおいて修正された原稿を簡単に再印刷することができる画像形成システムを提供することを目的とする。
【課題を解決するための手段】
【０００８】
上記課題を解決するため、請求項１に記載の本発明における画像形成システムは、携帯端末装置と多機能周辺装置とが接続された画像形成システムであって、前記携帯端末装置に表示された画像データを前記多機能周辺装置に対して転送する手段と、前記転送された画像データを印刷する手段と、前記印刷された画像データを編集する手段と、前記編集された画像データを再印刷する手段と、を含むことを特徴とする。
【発明の効果】
【０００９】
本発明によれば、携帯端末装置からの指示により実行された印刷結果に対して行われる原稿の修正作業、及び再印刷を簡単に行うことが可能な画像形成システムを得ることができる。
【図面の簡単な説明】
【００１０】
【図１】本発明の実施形態に係る画像形成システムの全体構成について説明する図である。
【図２】本発明の実施形態に係る画像形成システムを構成する画像形成装置の概略構成について説明する機能ブロック図である。
【図３】本発明の実施形態に係る画像形成システムにおいて、スマートフォンからの指示により印刷が実行された後、原稿が修正され再び印刷されるまでの動作について説明するシーケンス図である。
【発明を実施するための形態】
【００１１】
次に、本発明を実施するための形態について図面を参照して詳細に説明する。なお、各図中、同一又は相当する部分には同一の符号を付しており、その重複説明は適宜に簡略化乃至省略する。
【００１２】
本発明は、スマートフォンを一例とする携帯端末装置の画面に表示された印刷対象たる画像データを、ＭＦＰの操作部に表示し、原稿を修正した後に再び印刷する場合の処理に関するものである。
【００１３】
すなわち、ＭＦＰとスマートフォンとはネットワークを介して接続されており、スマートフォンの画面に表示された印刷対象たる画像データを、ＭＦＰの操作部に表示する。これにより、ユーザはＭＦＰの操作部を用いることによりスマートフォンの画面に表示された印刷対象たる画像データを編集することができ、スマートフォンの画面に表示された原稿を修正することができる。
【００１４】
また、ＭＦＰの操作部を用いた原稿の修正作業が終了し、ユーザがＭＦＰのスタートキーを押下すると、ＭＦＰからスマートフォンに対してイベントが通知される。そして、スマートフォン内のアプリケーションが、ＭＦＰに対して自動的に印刷を実行させることとしている。これにより、スマートフォンからの指示により実行された印刷結果に対して行われる原稿の修正作業、及び再印刷を簡単に行うことが可能となる。
【００１５】
まず、本発明の実施形態に係る画像形成システムの構成について説明する。図１は、本発明の実施形態に係る画像形成システムの全体構成について説明する図である。図１に示すように、本発明の実施形態に係る画像形成システム１は、携帯端末装置の一例であるスマートフォン１５と画像処理装置１２とが、ネットワークを介して接続されている。
【００１６】
画像処理装置１２は、撮像機能、画像形成機能、及び通信機能等を備えることにより、プリンタ、ファクシミリ、スキャナ、複写機として利用可能なＭＦＰである。本発明の実施形態において、画像処理装置１２は、ネットワークを介して接続されている他のデバイスから送信されてくる画像データを、自身の操作部である操作パネル１４に表示する機能を搭載している。一方、スマートフォン１５は、他のデバイスからの要求に応じて、自身の画面に表示された画像データを、当該他のデバイスに対して送信する機能を搭載している。
【００１７】
次に、本発明の実施形態に係る画像形成装置の概略構成について説明する。図２は、本発明の実施形態に係る画像形成システムを構成する画像形成装置の概略構成について説明する機能ブロック図である。
【００１８】
図２に示すように、本発明の実施形態に係る画像形成装置たるＭＦＰ  １ａは、コントローラ１００、ＡＤＦ（Auto Document Feeder：原稿自動搬送装置）１０１、スキャナユニット１０２を有している。また、排紙トレイ１０３、ディスプレイパネル１０４、給紙テーブル１０５、プリントエンジン１０６を有している。さらに、排紙トレイ１０７、ネットワークＩ／Ｆ（Inter/Face）１０８を有している。
【００１９】
また、コントローラ１００は、主制御部１１０、エンジン制御部１２０、画像処理部１６０、操作表示制御部１４０、文書記憶部１３０、及び入出力制御部１５０で構成される。図２に示すように、本発明の実施形態に係るＭＦＰ  １ａは、スキャナユニット１０２、プリントエンジン１０６を有する複合機として構成されている。
【００２０】
ディスプレイパネル１０４は、ＭＦＰ  １ａの動作状態を視覚的に表示する出力インタフェースであると共に、タッチパネルとしてユーザ１３がＭＦＰ  １ａを直接操作し、又はＭＦＰ  １ａに対して情報を入力する際の入力インタフェースでもある。すなわち、ディスプレイパネル１０４は、ユーザによる操作を受けるための画像データを表示する機能を含む。ディスプレイパネル１０４は、図示しないＬＣＤ（Liquid Crystal Display）、及び操作パネル１４によって実現される。
【００２１】
コントローラ１００は、ソフトウェアとハードウェアとの組み合わせによって構成される。具体的には、図示しないＲＯＭ（Read Only Memory）、及びＨＤＤ（Hard Disk Drive）等に格納されたプログラムが、ＲＡＭ（Random Access Memory）等のメモリにロードされる。そして、図示しないＣＰＵ（Central Processing Unit）が、そのプログラムに従って演算を行うことにより構成されるソフトウェア制御部と、集積回路等のハードウェアと、によって構成される。コントローラ１００は、ＭＦＰ  １ａ全体を制御する制御部として機能する。
【００２２】
主制御部１１０は、コントローラ１００に含まれる各部を制御する役割を担い、コントローラ１００の各部に命令を与える。エンジン制御部１２０は、プリントエンジン１０６やスキャナユニット１０２等を制御、又は駆動する駆動手段としての役割を担う。
【００２３】
画像処理部１６０は、主制御部１１０の制御に従い、印刷出力すべき画像データに基づいて描画情報を生成する。この描画情報とは、画像形成部であるプリントエンジン１０６が、画像形成動作において形成すべき画像データを描画するための情報である。
【００２４】
操作表示制御部１４０は、ディスプレイパネル１０４に対して情報表示を行い、又は操作パネル１４を介して入力された情報を主制御部１１０に通知する。入出力制御部１５０は、ネットワークＩ／Ｆ  １０８を介して入力される情報を主制御部１１０に入力する。
【００２５】
次に、本発明の実施形態に係る画像形成システムにおいて、多機能周辺装置に対する印刷実行要求、及び多機能周辺装置に対して再印刷を実行させるまでの動作について説明する。図３は、本発明の実施形態に係る画像形成システムにおいて、スマートフォンからの指示により印刷が実行された後、原稿が修正され再び印刷されるまでの動作について説明するシーケンス図である。
【００２６】
図３において、まず、ステップ（以下、「Ｓ」という。）３０１において、ユーザ１３は、スマートフォン１５を操作することにより、スマートフォン１５の画面に表示された印刷対象たる画像データを、ＭＦＰの操作部に表示する。そして、スマートフォン１５の画面に表示された印刷対象たる画像データを、ＭＦＰ１２において印刷する旨の指示をＭＦＰ１２に対して通知する。このとき、ＭＦＰ１２に対してスマートフォン１５のＩＰアドレスも通知される。
【００２７】
そして、スマートフォン１５の画面に表示された印刷対象たる画像データを、ＭＦＰ１２において印刷する場合、ＭＦＰ１２において設定された印刷設定を追加して印刷するようにしても良い。これにより、ＭＦＰ１２においてのみ設定可能な印刷状態で印刷を実行することが可能となり、ユーザの利便性が向上するという効果が得られる。
【００２８】
Ｓ３０２において、ＭＦＰ１２によって印刷された結果を確認したユーザ１３は、原稿上に修正したい箇所を発見すると、ＭＦＰ１２の操作パネル１４に設けられた図示しない接続ボタンを押下する。
【００２９】
Ｓ３０３において、ＭＦＰ１２からスマートフォン１５に対して接続要求が送信される。そして、Ｓ３０４において、ＭＦＰ１２からスマートフォン１５に対して画像データの転送要求が送信される。そうすると、Ｓ３０５において、スマートフォン１５からＭＦＰ１２に対して、修正箇所が存在するスマートフォン１５の画面に表示された画像データが転送される。
【００３０】
Ｓ３０６において、ＭＦＰ１２の操作パネル１４に設けられた図示しない操作部にスマートフォン１５の画面に表示された画像データが表示される。このとき、ＭＦＰ１２の操作パネル１４に設けられた図示しない操作部にスマートフォン１５の画面が表示されると、自動的にスマートフォン１５の画面表示がオフとなるようにしても良い。これにより、バッテリで動作するスマートフォン１５の消費電力が抑えられ、動作継続時間が長くなるので、ユーザの利便性が向上するという効果が得られる。
【００３１】
そして、Ｓ３０７において、ユーザ１３は、ＭＦＰ１２の操作パネル１４に設けられた図示しない操作部を用いてスマートフォン１５の画面に表示された画像データを修正する。続いてＳ３０８において、スマートフォン１５から、修正箇所が存在するスマートフォン１５の画面に表示された画像データが転送される。
【００３２】
このとき、スマートフォン１５の画面に表示された画像データをＭＦＰ１２に転送する際の転送レートを、ＭＦＰ１２において任意の値に設定できるようにしても良い。例えば、ネットワーク上の転送状態が良くない場合、転送レートを低めに設定することにより、情報転送量が減り、ユーザの利便性が向上するという効果が得られる。具体的には、スマートフォン１５の画面に表示された情報をモノクロ状態で転送する等といったことが考えられる。
【００３３】
Ｓ３０９において、ユーザ１３は、ＭＦＰ１２の操作パネル１４に設けられた図示しない操作部を用いてスマートフォン１５の画面に表示された画像データを修正する。Ｓ３１０において、スマートフォン１５から、修正箇所が存在するスマートフォン１５の画面に表示された画像データが転送される。このＳ３０７からＳ３１０の処理が繰り返された後、原稿の修正が終了したら、Ｓ３１１において、ユーザ１３は、ＭＦＰ１２の操作パネル１４に設けられた図示しないスタートキーを押下する。
【００３４】
Ｓ３１２において、ユーザ１３が、ＭＦＰ１２の操作パネル１４に設けられた図示しないスタートキーを押下することに伴うスタートキーイベントが、ＭＦＰ１２からスマートフォン１５に対して通知される。Ｓ３１３において、修正後のスマートフォン１５の画面に表示された印刷対象たる画像データを、ＭＦＰ１２において印刷する旨の指示が、スマートフォン１５からＭＦＰ１２に対して通知される。そして、ＭＦＰ１２において印刷が自動的に実行される。
【００３５】
このとき、ＭＦＰ１２において自動的に印刷が実行される場合、上述したようにＭＦＰ１２において設定された印刷設定を追加して印刷するようにしても良い。これにより、ＭＦＰ１２においてのみ設定可能な印刷状態で印刷を実行することが可能となり、ユーザの利便性が向上するという効果が得られる。
【００３６】
なお、上記実施の形態においては、携帯端末装置としてスマートフォン１５を具体例に挙げて説明したが、ＭＦＰ１２とネットワークを介して接続された携帯端末装置であれば、スマートフォンに限定されないことはいうまでもない。
【００３７】
また、図３に示した本発明の実施形態における画像形成システムの各動作は、コンピュータ上のプログラムに実現させることもできる。スマートフォン１５、及びＭＦＰ１２の図示しない制御部が、ＲＯＭ、ＲＡＭ等から構成される図示しないメモリ部に格納されたコンピュータにより読み取り可能なプログラムをロードする。そして、プログラムの各処理ステップが順次実行されることによって行われる。
【００３８】
なお、この実施形態は本発明の範囲を限定するものではなく、ＭＦＰ１２が、スマートフォン１５の画面に表示された印刷対象たる画像データを格納する機能を備えても良い。さらに、画像形成システム１を構成するスマートフォン１５、及びＭＦＰ１２は複数台でも良く、どのスマートフォン１５、及びＭＦＰ１２に機能を備えさせても良い。
【００３９】
また、この実施形態で説明するスマートフォン１５と、ＭＦＰ１２とが接続されたシステム構成は一例であり、用途や目的に応じて様々なシステム構成があることはいうまでもない。
【００４０】
以上説明したように、本発明によれば、ＭＦＰはスマートフォンとネットワークを介して接続されており、スマートフォンの画面に表示された印刷対象たる画像データをＭＦＰの操作パネルに表示する。そのため、ユーザはＭＦＰの操作パネルを使用してスマートフォンの画面に表示された印刷対象たる画像データを修正することが可能となる。
【００４１】
また、ＭＦＰの操作パネルを用いた画像データの修正が終了し、ユーザがＭＦＰのスタートキーを押下すると、ＭＦＰからスマートフォンに対してイベントが通知される。そうすると、スマートフォン内のアプリケーションがＭＦＰに対して印刷を自動的に指示する。これにより、スマートフォンからの指示により実行された印刷結果に対して行われる原稿の修正作業、及び再印刷を簡単に行うことが可能な画像形成システム、制御方法、及びプログラムを得ることができる。
【００４２】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４３】
１    画像形成システム
１ａ、１２    ＭＦＰ（多機能周辺装置）
１３    ユーザ
１４    操作パネル
１５    スマートフォン
１００    コントローラ
１０１    ＡＤＦ
１０２    スキャナユニット
１０３、１０７    排紙トレイ
１０４    ディスプレイパネル
１０５    給紙テーブル
１０６    プリントエンジン
１０８    ネットワークＩ／Ｆ
１１０    主制御部
１２０    エンジン制御部
１３０    文書記憶部
１４０    操作表示制御部
１５０    入出力制御部
１６０    画像処理部
【先行技術文献】
【特許文献】
【００４４】
【特許文献１】特開２０１２−０６４０３０号公報
【図１】
2014191562.tif 000003
【図２】
2014191562.tif 000004
【図３】
2014191562.tif 000005